(57)【要約】【課題】皿型の集光器や放物面型集光器を活用して太陽を追跡しながら像工学的方法で太陽の光を高密度に集光する方法と、太陽光を集光した高密度光を遠距離の使用先に送り、複数の集光器を通じて得られた高密度光を多段結合して超高密度光を生成する方法及び手段の提供。【解決手段】放物集光器の１次凹放物面反射鏡は放物面鏡の内側地点の入射角が法線面と成す角度が臨界角より大きくなる角で、下向き反射が９０％以上になるように放物面の傾斜が狭幅を有するように形成し、中心軸の下側に開口部を形成した１次凹放物面鏡と、前記１次放物面鏡の焦点を共有しながら焦点部位に１次凹放物面鏡の縮小形態や、中心軸に開口部のない小口径２次凸放物面反射鏡を結合した放物面反射鏡セットで集光して遠距離に伝送し、応用装置で効率的で定量的な使用環境を提供することができるようにした。【選択図】図１
2015222167.tif 000002
【特許請求の範囲】
【請求項１】
入射する太陽光が全反射されるように前記太陽光の各点での入射角が臨界角より大きく内周面を形成し、放物面の接線傾斜度が４０゜を越える区間が９０％以上である１次放物面反射鏡と、
前記１次放物面反射鏡の内部に位置し、前記１次放物面反射鏡と焦点を共有する２次放物面反射鏡とを含み、
前記１次放物面反射鏡の下端には前記２次放物面反射鏡で全反射された太陽光を伝送するための開口部が形成されることを特徴とする太陽光集光構造。
【請求項２】
前記開口部には、前記１次放物面反射鏡と前記２次放物面反射鏡を通じて集光された太陽光を伝送するための伝送管が備えられることを特徴とする請求項１に記載の太陽光集光構造。
【請求項３】
前記伝送管の一側には少なくとも一つの関節部が形成され、
前記関節部には反射された太陽光が全反射されるように少なくとも一つの反射板が備えられることを特徴とする請求項１に記載の太陽光集光構造。
【請求項４】
前記１次放物面反射鏡の放物面の焦点位置を上側開口部の下点から５０ｍｍ以下に形成し、焦点を共有しながら２次放物面反射鏡の直径幅を３０ｍｍ以下に形成したことを特徴とする請求項１に記載の太陽光集光構造。
【請求項５】
前記１次放物面反射鏡の上端部には透明体が備えられることを特徴とする請求項１に記載の太陽光集光構造。
【請求項６】
入射する太陽光が全反射されるように前記太陽光の各点での入射角が臨界角より大きく内周面を形成し、放物面の接線傾斜度が４０゜を越える区間が９０％以上である１次放物面反射鏡と、前記１次放物面反射鏡の内部に位置して、前記１次放物面反射鏡と焦点を共有する２次放物面反射鏡とを含み、
前記１次放物面反射鏡の下端には前記２次放物面反射鏡で全反射された太陽光を送るための開口部が形成される多数の太陽光集光構造と、
前記開口部のそれぞれには前記１次放物面反射鏡と２次放物面反射鏡を通じて集光された太陽光を伝送するための伝送管が形成され、前記伝送管のそれぞれから伝送された太陽光を集光するための太陽光集光部を含むことを特徴とする多重太陽光集光構造。
【請求項７】
前記太陽光集光部は、
前記伝送管のそれぞれから入射する太陽光が全反射されるように前記入射する太陽光が各点で入射角が臨界角より大きく内周面を形成する１次放物面反射鏡と、
前記１次放物面反射鏡の内部に位置して、前記１次放物面反射鏡と焦点を共有する２次放物面反射鏡とを含むことを特徴とする請求項６に記載の多重太陽光集光構造。
【請求項８】
前記太陽光集光部の下側には第２開口部が形成され、前記第２開口部には前記１次放物面反射鏡と２次放物面反射鏡とを通じて集光された太陽光を伝送するための第２伝送管が備えられることを特徴とする請求項７に記載の多重太陽光集光構造。
【請求項９】
前記第２伝送管の一側には少なくとも一つの関節部が形成され、前記関節部には反射された太陽光が全反射されるように少なくとも一つの反射板が備えられることを特徴とする請求項８に記載の多重太陽光集光構造。
【請求項１０】
前記第２伝送管の関節部は回動可能に備えられることを特徴とする請求項９に記載の多重太陽光集光構造。
【発明の詳細な説明】
【技術分野】
【０００１】
本発明は自然状態の太陽光を放物面反射鏡を利用して高密度に集光して平行性ビームを作る集光方法と構造及び高密度光を多段結合して超高密度に濃縮し、超高密度に集光された太陽光を遠距離に伝送する伝送技術と超高密度の太陽光の量を検出して選択的に調節して、遮断、分離、結合しながら高効率に伝送する技術に関する。
【背景技術】
【０００２】
米国特許出願公開第２００８−００９２８７７号明細書の場合、フレネルレンズを活用して焦点に集め、これを平面反射鏡で再反射して中央の漏斗型反射鏡で下向きに反射させて集光して伝送管で伝送する方式であるが、これは漏斗型（円錐型）下向き反射鏡に平面反射光が入射される場合、光が放射状に反射されるため、平行光にならないとともに集光されず、パイプに帰属されても乱反射光になるしかない。そこで、遠距離に伝送する場合、透過損失が大量に発生し、特に関節部位や折れ部位を透過する時多量が損失されるため、この方式は伝送効率が非常に悪く、意図した光を送ることができないという諸問題がある。
【０００３】
大韓民国特許出願公開第１９８３−０００９４４４号明細書、大韓民国特許出願公開第１９８９−０００９０５号明細書及び大韓民国特許出願公開第１９８８−０５８２８２号明細書も集光された光を凸レンズを利用して集光して、光ファイバで伝送する方式であるが、これらも色収差及び乱反射が発生して、伝送効率が非常に悪く、高密度の光を遠くに伝送することができない。
【０００４】
大韓民国特許出願公開第１０−２００３−００２７５２９号明細書の場合、複数の小型皿型反射器と各反射器の焦点近傍に具備された２次反射器及び各２次反射器の直下に集光された太陽光が入射される光ファイバが集まってなる光ファイバ束を一緒に小型モジュール化した後、光ファイバから遠く離れた吸収器に伝送して熱変換する技術であるが、これも光ファイバによって紫外線と遠赤外線領域の波長が光ファイバに吸収されてしまって、熱効率がよくなく、伝送中に伝送管の屈折部位で乱反射による損失が発生して伝送効率も良くない。
【発明の概要】
【発明が解決しようとする課題】
【０００５】
本発明は上記のような問題点を解決して、太陽光を高濃縮する方法及び超遠距離に伝送する技術を発明するために、集光技術と伝送技術を開発することを目的とする。上記放物面反射鏡を利用して太陽光を集光する際に、太陽光が触れる部品に熱が発生しないようにしながら、太陽光の損失を最小化することは勿論、全波長領域の太陽光を長距離に伝送することができるように伝送効率を改善する課題があり、また大量生産及びメンテナンスを容易にするためには、製品の構成を簡略化し、耐候性を良くする課題がある。
【０００６】
上記の伝送率の高効率化のためには、光損失を減少し、集光効率が良く改善する構造的発明、及び太陽光を多段結合して超高濃縮することによって集光及び伝送効率を改善する効果を発明すべきである。
【０００７】
太陽光は必ず高濃縮しなければならないが、乱反射して光線を結合するのに種々の問題
点がある。
【課題を解決するための手段】
【０００８】
上記のような目的を達するために、太陽光が触れて反射される部品には全反射が起きるように、入射角が臨界角より大きくなるように反射鏡の傾斜度を変更し、非球面反射鏡を２重に形成して、入射平行光を下側に通孔を透過する反射路を形成して、平行濃縮光を形成することができる。
【０００９】
高温の太陽光を長時間受ける部品は、全反射が起きるようにして、部品には光の吸収熱が伝達されないようにし、また１次反射鏡の入口に異物が積もらないように透明保護膜で遮蔽して阻むことができるように発明した。
【００１０】
また、太陽光を集光してから屈曲区間を最小化する関節を発明して、屈曲区間も平行光で送ることができるようにしており、所定距離以上では再び伝送光を平行光に整列する整列装置を設置することによって、超遠距離に送っても太陽光の損失を最小化することによって伝送効率を極大化し、必要区間で、フィルタリングバルブシステムで太陽光の光量を検出して透過量を調節し、波長帯別にフィルタリングバルブで分光することができるようにすることによって、吸収器や反応路での使用量を調節することができるようにした。
【００１１】
本発明の核心原理を説明すれば次の通りである。
【００１２】
図５によれば、１次放物面反射鏡１と焦点Ｆを共有する２次放物面反射鏡４とを有し、この放物面反射鏡に垂直に入射する二つの入射光をそれぞれＡＢ、ＤＣとし、その透過線をＢＡ｀とＣＤ｀とする場合、この二つの入射光線と透過線が平行であるとすれば、放物面の光学的原理によって、１次放物面反射鏡に入射する入射光ＡＢはＦに反射し、２次放物面反射鏡に入射する入射光ＤＣもＦに反射し、この時、
（１）−−−−∠ＡＢＦ＝∠ＤＣＦ＝ｋになり、
また、Ｆの虚像焦点Ｆ｀であれば、ＡＡ｀／／ＤＤ｀であるので、
（２）−−−−∠Ｄ｀ＣＦ｀＝∠Ａ｀ＢＦ｀＝ｋになって、
式（１）と（２）によって、ＡＢ／／ＣＤ｀になる。
【００１３】
即ち、１次放物面反射鏡１に垂直に入射する入射光ＡＢは２次放物面反射鏡４に反射された光線ＣＤ｀も平行光になる。
【００１４】
また、Ｂ点での外接面に垂直の線ＭＭ｀であれば、入射角は∠ＡＢＭ＝ｋ／２になり、この時、角ｋ／２が臨界角より大きい場合のみ全反射が起き、実際集光面積である１次放物面反射鏡１の外周区間をＷとすれば、２次放物面反射鏡４によって遮られる内部区間Ｖとし、１次放物面反射鏡の下側開口部をＳとすれば、Ｓ＝Ｖになり、Ｗ＞＞Ｖであることが最も集光面積比を大きくするのである。
【００１５】
本発明の実施例として、図５によって、∠ＡＢＭが臨界角より小さく入射される１次放物面反射鏡である時は、反射光が下向きを成すために、２次放物面反射鏡を上側に凸出した形態に形成したことを特徴とした太陽光集光構造と多重集光方法及び太陽光伝送装置を提供する。
【発明の効果】
【００１６】
以上で説明したように、本発明は上記放物面反射鏡を利用して、太陽光を平行性太陽光に集光して、光パイプを利用して太陽光を伝送する場合、入射角が臨界角より大きくして全反射が起きることができるようにするので、太陽光が触れる部品に熱が発生しないことはもちろん、太陽光の損失を無くすので、太陽光を効果的に集光して伝送することができるように発明した。
【図面の簡単な説明】
【００１７】
【図１】図１のＡは本発明の実施例による１次集光器１００の縦断面図であり、図１のＢは本発明の実施例による１次集光器１００の斜視図である。
【図２】本発明の１次集光器１００と太陽光集光部３の構成縦断面図である。
【図３】本発明の太陽光集光部３の多重結合実施斜視図である。
【図４】本発明の伝送管と全反射関節部の斜視図である。
【図５】本発明の平行集光光学原理図である。
【発明を実施するための形態】
【００１８】
以下、本発明の実施例を添付された図面を参照して詳しく説明する。
【００１９】
図１〜図４によれば、本発明は太陽光を受けて集光する役割を果たす１次集光器１００と；太陽光を他の場所に移送する時用いられる伝送管２と；複数の伝送管２を１ヶ所に集めて再び一つの光に作る太陽光集光部３と；を含む。
【００２０】
１次放物面反射鏡１に太陽光が反射される際に、接点で入射角が臨界角より大きく保持することができるようにして全反射になることができるように放物面を形成し、上記１次放物面反射鏡１の下部には反射される太陽光を再反射して伝送管２に移送する２次放物面反射鏡４を形成し、上記２次放物面反射鏡４は、上記１次放物面反射鏡１と焦点を共有し、縮小した形態で上記１次放物面反射鏡１の下側面に太陽光が触れて下側に反射するもので、入射角が臨界角より大きく形成されて全反射が起きるようにするので、２次放物面反射鏡４に熱が発生しないで、変形及び損失がなくなる。
【００２１】
また、１次放物面反射鏡１の上端部には硝子または合成樹脂からなる透明体５を装着して、雨水や埃、異物が内部に流入しないようにして、太陽光を集光する際の効果を高めるようにする。
【００２２】
図３及び図４に示すように、１次放物面反射鏡１と２次放物面反射鏡４から集光された太陽光は伝送管２を通じて遠距離に移送されるが、上記伝送管２の折曲部分と関節部位には二つの反射板６を装着して、太陽光の入射角が臨界角より大きくなるようにして、全反射が起きるようにするので、上記反射板６で熱が発生しないで、熱損失を防ぐことができるようにする。
【００２３】
伝送管２は関節部７が形成されて、伝送管２の方向を自在に回動することができ、上記関節部７には二つの反射板６を装着して、入射角を臨界角より大きく形成して、全反射に起きるようにし、上記関節部７は回動することができるようにし、関節部７の下側には連結管１０を形成するが、上記連結管１０は回転しながら方向を回転させることができる。
【００２４】
上記関節部７を複数連結すれば、上下左右方向に太陽光を移送することができる。
【００２５】
上記伝送管２の一側には太陽光遮断バルブを設置して、太陽光が必要でない場合に、太陽光遮断バルブを閉めて、太陽光が透過しないようにする。
【００２６】
上記太陽光遮断バルブは伝送管２を横切って装着されるが、一側にモータを形成し、これと連設されるように貫通管と遮断板を形成して、上記モータによって左右に移動しながら太陽光を透過させることはもちろん、遮断することができるようにした。
【００２７】
また、太陽光遮断バルブの一側に太陽光センサ部を装着して、太陽光が透過するか否かを把握することができるようにして、作業の時に認識することができるようにする。
【００２８】
二つ以上の１次放物面反射鏡１によって集められた太陽光は、上記伝送管２を通じて１ヶ所に集められるように中間に太陽光集光部３を装着する。
【００２９】
上記太陽光集光部３は、上記のような目的を達するために、太陽光が触れて反射される部品には全反射が起きるように入射角が臨界角より大きくなるように部品の構造を製作し、高温の太陽光を長時間受ける部品は全反射が起きるようにして、部品には熱が伝達されないようにし、また熱損失を防ぐことができるように、入射角が臨界角以上を保持することができるように放物面を形成し、焦点を共有する内側には２次放物面反射鏡４を装着するが、狭くなる内部の中心部側に焦点を共有するように装着して、太陽光を一側方向に進行させることができるようにする。
【００３０】
上記太陽光集光部３は複数に分離された太陽光を１ヶ所に集めて一つの光に統合する機構で、複数設置することができる。
【００３１】
上記太陽光集光部３は、１次放物面反射鏡１を一つだけ使う時には必要でなく、二つ以上使う時に連結して太陽光を集光するようにする。
【００３２】
また、伝送管結合集光器と一体に連結部を形成する。上記連結部は伝送管結合集光器と連結される部分に全反射ができるように放物面に入射した光線が下向きに反射する接点の傾きを有する部位が９０％を越えるようにすることによって、伝送管結合集光器に乱反射が流入する場合も、下側反射口に出射するようにする。
【００３３】
また、本発明の集光器を利用して太陽光を集光し、光パイプと光ファイバを利用して遠距離に送って活用する全体ネットワーク構成図で、近距離はもちろん国と国の間に太陽光を互いに交流することができるシステムである。
【実施例】
【００３４】
上記の解決手段のための本発明を具体的に説明すれば、１次凹放物面反射体の放物面の接線傾斜度が４０゜を越える区間が９０％以上を維持するように急激な２次函数値を有する放物面を形成し、焦点下側に開口部を形成した１次凹放物面反射体と、同一焦点を共有し、１次凹放物面反射体の内側下口部に形成した楔状の小型２次凸放物面反射体を結合させた放物面集光器セルを形成し、１次集光器セルの下側開口部に光パイプと光パイプエルボを結合するが、光パイプエルボは一側方向に出射することができるように多角反射面を形成し、屈曲部位の反射面に複数の平面反射体を結合させ、この時、入射角と出射角がそれぞれ４５度より大きい角を成し、反射されるように反射鏡を複数個結合した光パイプエルボを付着してなる１次集光器セルを形成し、１次集光器セルには透明な蓋を形成して、反射体の汚染を防止するようにした。
【００３５】
実施例として、図１に示すように、１次放物面反射鏡１に対応する１次凹非球面反射体と２次放物面反射鏡４に対応する２次凸非球面反射体を透明体で一体型に形成するが、２次凸反射体は上側に孔形態に成形することによって、一度に製作することを容易にしたことを特徴とし、この時は、焦点の下部分を除いた平行光や乱反射光や全ての入射光線が全反射を起こして、下側出射口で反射するようになる。
【００３６】
この時、中心に孔で形成された２次凸非球面反射体に金属反射コーティングをすれば、焦点下側の反射光も出射口に反射するようになって、集光効率が増大される。
【００３７】
上記１次集光器セルで集められたそれぞれの濃縮光を多重に結合して超高濃縮する手段として、それぞれの集光器セルの下側光パイプエルボと光伝送用光パイプで太陽光集光部の入射用エルボに互いに連結する方法として構成した。
【００３８】
伝送手段である光パイプは中空のパイプ形状を用い、その材質は硝子管や金属パイプを用いるが、内側表面は光沢処理しており、透明パイプは、鏡処理され、反射体を塗布して反射率を高める方法を利用した光パイプを用い、また通常の硝子ファイバや合成樹脂材の光ファイバを用い、中空で被覆が２重以上である多重管を用いることができ、外側パイプより内側パイプの屈折率を大きく形成して、全反射が容易に起きるようにしたことを特徴とする。
【００３９】
特に、温熱回収システム光パイプは、多重管の中で、最も内側１次パイプは内部が中空で、その外郭に２次パイプを形成し、内側１次パイプと外側２次パイプとの間に流体を満たして形成した光パイプで、光伝送時に透過損失された熱を吸収して熱交換することができるように発明した。
【００４０】
図３に示すように、太陽光集光部３は、外側に１次放物面反射体を急傾斜を成す２次函数値を有する放物面を成し、上記放物面の焦点に近接する直下に開口部を形成したもの、即ち放物面の焦点位置を上側開口部の上点と底点との間に位置させるが、下点に近接した距離に形成して、下点から５０ｍｍを超えないようにし、上記焦点を共有しながら２次放物面反射鏡４を直径幅が３０ｍｍを超えないように形成し、１次放物面反射鏡４の上側開口部にカバー１４を形成するが、カバー１４には光パイプを挿着することができるパイプ孔を複数形成し、上記カバー１４の中心軸には２次放物面反射鏡４を支持台に結着する。
【００４１】
２次放物面反射鏡４はカバー１４に結着された支持台にねじ結合して、ねじを調節することによって２次放物面反射鏡４と１次放物面反射鏡１との焦点位置を調整することができるようにしたことを特徴とする。
【００４２】
光伝送手段として光パイプは金属、硝子管や光ファイバ等を用い、硝子管の外被に反射体を塗布した反射硝子管を用いることができ、多重硝子管に内側管と外側管の中で内側管の屈折率が高い媒質を用い、これは光ファイバの内側コアに洞孔が形成された状態と同じである。
【００４３】
他の実施例として多重パイプで内側管と外側管との間に空間を形成し、この空間に溶媒を充填して形成され、伝送中に透過損失される光損失熱を溶媒が吸収するようにすることによって、溶媒の熱を吸収して熱交換する付加的廃熱回収システムを提供し、また、内側光パイプが稠密な材質で、光パイプを取り囲んだ溶媒の媒質が疏密であるので、光は全反射伝送される。
【００４４】
上記太陽光を伝送するそれぞれの第１管、第２管、第３管、第４管及び第５管はそれぞれ反射光路を具備しながら、水平軸と垂直軸の位置で個別的に回転運動をする。
【００４５】
即ち、上記第１管、第２管、第３管、第４管及び第５管を連結するエルボは固定されるが、それぞれのエルボを中心に水平、垂直に連結された第１管、第２管、第３管、第４管及び第５管は上下、左右回転が可能である。
【００４６】
このように、上記伝送管２は回転折曲を有するもので、上記の伝送管２の連結部品の多重回転折曲を有する伝送管は長距離配管の時、所定距離ごとにエルボ（ｅｌｂｏｗ）、即ち、回転折曲を二つまたは多重連結し、それぞれのエルボ２１０は湾曲角に反射鏡を装着する。反射鏡の入射角と反射角はエルボの中心軸と一致するように設置し、必要によって折曲管（ｅｌｂｏｗ）を複数連設して、柔軟性と変位の吸水性及び緩衝力を増加させることができる伝送管は回転折曲管である。
【００４７】
これは、上記伝送管によって移動しても、直進性を維持する高密度平行光で伝送される太陽光を遠距離に誘導する時、伝送管に柔軟性と変位の吸水性を付与して、四方の何れの方向、管（パイプ）の伸縮方向へも伝送することができることを特徴とする。
【００４８】
ここで、上記伝送管に柔軟性と変位の吸水性を付与するのは、上記集光器に構成される第１管、第２管、第３管、第４管及び第５管を通じて太陽光を伝送する伝送管によって移動して直進性を維持する高密度平行光で伝送される太陽光を遠距離に誘導する時、伝送管に柔軟性と変位の吸水性を付与するように直線性を維持させる太陽光の反射光路に二度の反射角を与えながら４５゜以内の角度に制限する。
【００４９】
即ち、本発明の太陽光を集光して伝送する伝送管に二度の反射角を与えるのは、１次反射角を２２．５゜にし、１次反射角で反射された後、２次反射角を同じく２２．５゜にして、太陽光を全体で４５゜以内の角度で外部に反射させて、全反射が起きるようになる。
【産業上の利用可能性】
【００５０】
自然状態の太陽光を所望の密度で行うことができ、集光された太陽光を遠距離に伝送することによって、多くの応用分野に適用することができる。近距離．長距離でネットワークを形成しながら伝送して、ビル内の陰影や地下の奥深い所で自然採光ができ、中央集中で光を集めて熱変換すれば太陽熱発電はもちろん、高温熱を利用した太陽熱発電が可能であり、産業用高炉に熱エネルギー源として活用したり、化学反応工程熱に適用することができるなど多様な分野に適用することができる。
【符号の説明】
【００５１】
１  １次放物面反射鏡
２  伝送管
３  太陽光集光部
４  ２次放物面反射鏡
６  反射板
７  関節部
１４  カバー
１００  １次集光器
【図１】
2015222167.tif 000003
【図２】
2015222167.tif 000004
【図３】
2015222167.tif 000005
【図４】
2015222167.tif 000006
【図５】
2015222167.tif 000007